(57)【要約】電気的構成要素を電気的に接続するシステム。このシステムはリボン・ケーブルと接続器ベースとより成る。接続器キャップはリボン・ケーブルとキャップ位置合わせガイドとキャップ方向合わせガイドに作動可能に係合するに適したトラック面を有する。接続器ベースは、第１のリボン・ケーブルに電気的に係合するに適した第１のリボン・ケーブル接受面と第２のリボン・ケーブルに電気的に係合するに適した第２のリボン・ケーブル接受面と第１及び第２の接受面を電気的に相互接続する電気相互接続手段とキャップ位置合わせガイドに対する整合のためそれぞれ第１及び第２の接受面に隣接して配置される第１及び第２のベース位置合わせガイドとキャップ方向合わせガイドを受容するよう作動的に配置された方向合わせレセプタクルを有する。
2004516627.tif 000002
【特許請求の範囲】
【請求項１】
電気的構成要素を電気的に接続するシステムであって、
第１のリボン・ケーブル、
前記リボン・ケーブルと作動可能に係合するに適したトラック面とキャップ位置合わせガイドとキャップ方向合わせガイドとを有する接続器キャップ、及び
第１のリボン・ケーブルに電気的に係合するに適した第１のリボン・ケーブル接受面と第２のリボン・ケーブルに電気的に係合するに適した第２の接受面と前記第１及び第２の接受面を電気的に相互接続する電気的相互接続手段と前記キャップ位置合わせガイドとの整合のためにそれぞれが前記第１及び第２の接受面に隣接して配置された第１及び第２のベース位置合わせガイドと前記キャップ方向合わせガイドを受け入れるように作動可能に配置された方向合わせ受け部とを有する接続器ベース、より成ることを特徴とするシステム。
【請求項２】
第１の外部接続口ポイントを有し且つ電気コネクタと作動可能接続状態にある第１の電気試験ポイントを、前記ベースが備えることを特徴とする請求項１に記載のシステム。
【請求項３】
前記接続器キャップの方向合わせガイドは第１の形状を有する突出部を備え、接続器ベース方向合わせ受け部は前記方向合わせガイドを受け入れる符合した位置及び形状であることを特徴とする請求項２に記載のシステム。
【請求項４】
前記方向合わせガイドは第２の形状を有する第２の突出部を備え、前記方向合わせ受け部は前記第２の突出部と同様の形状でこれを受け入れるに適した第２の孔を備え、前記方向合わせガイド及び方向合わせ受け部は、接続器キャップの接続器ベースへの組立てが一方向のみにて可能となるように配置されていることを特徴とする請求項３に記載のシステム。
【請求項５】
更に第２のリボン・ケーブルを有し、前記第１および第２の平坦なリボン・ケーブルは異なるゲージの電気接続線を含んでおり、前記接続器ベースと前記接続器キャップはそれぞれ前記第１及び第２のリボン・ケーブルの異なるゲージの電線の受入れに作動的に適合した異なる寸法の部分を有するキャップ・トラック及びベース・トラックを備えていることを特徴とする請求項４に記載のシステム。
【請求項６】
前記電気コネクタと作動可能接続状態にありそれぞれが第２、第３及び第４の外部接続口穴を有する第２、第３及び第４の電気試験ポイントを更に備えることを特徴とする請求項５に記載のシステム。
【請求項７】
前記電気試験ポイントは２つのグループに分けられ、第１のグループは前記第１の接受面に物理的に関係しており、第２のグループは前記第２の接受面に物理的に関係していることを特徴とする請求項５に記載のシステム。
【請求項８】
前記第１のグループは前記第２のグループから間隔をおいて離れていることを特徴とする請求項７に記載のシステム。
【請求項９】
前記接続器キャップが、ウェブ部分（ｗｅｂ）に摩擦的に係合するに適した保持腕を有することを特徴とする請求項５に記載のシステム。
【請求項１０】
前記第１及び第２のベース位置合わせガイドと前記キャップ位置合わせガイドは、前記平坦なリボン・ケーブルの特定の導線の色彩に合わせて色彩で識別されていることを特徴とする請求項３に記載のシステム。
【請求項１１】
前記第１のリボン・ケーブルは、第１の寸法の導線と第２の寸法の導線と前記第１及び第２の導線周囲のウェブ部分（ｗｅｂ）とを有することを特徴とする請求項２に記載のシステム。
【請求項１２】
第１及び第２の事実上同一のキャップ係合面を有し、各キャップ係合面は第１及び第２の通信バスを受け入れるに適したトラック及び前記通信バスの部分と電気的に係合するに適した各トラック毎の接触子を有し、キャップ係合面内の各接触子は他方のキャップ係合面内の符合する接触子と電気接続状態にあって電気的に接続した接触子対を形成してなる接続器ベース、及び
前記第１又は第２の通信バスを受け入れて保持する寸法にされたトラックを有する第１のバス接続器キャップとより成り、
前記ベースは、電気接続された接触子の各対と関連する外部孔を有し外部電気接続口ポイントを提供することを特徴とする第１及び第２の通信バスを作動可能に接続する接続器。
【請求項１３】
前記第１及び第２の通信バスは平坦なリボン・ケーブルであることを特徴とする請求項１２に記載の接続器。
【請求項１４】
前記バス接続器キャップは位置合わせガイドを有する外面を備え、前記接続器ベースは、ベースの外面に、各々が前記第１および第２のキャップ係合面に関連した第１及び第２のベース位置合わせガイドを備えることを特徴とする請求項１３に記載の接続器。
【請求項１５】
前記平坦なリボン・ケーブルとキャップ位置合わせガイドと第１及び第２のベース位置合わせガイドは、前記平坦なリボン・ケーブルとキャップ位置合わせガイドと第１又は第２のベース位置合わせガイドのいずれかの部分の位置合わせ及び組立てを助ける目視指標を備えることを特徴とする請求項１４に記載の接続器。
【請求項１６】
前記接続器キャップは、更に、前記通信バスと係合して保持するに適した保持腕を備えることを特徴とする請求項１５に記載の接続器。
【請求項１７】
前記第１のバス接続器キャップと事実上同一の第２のバス接続器キャップを備え、第１の接続器キャップは第１のキャップ係合面に作動的に係合し、第２の接続器キャップは第２のキャップ係合面に作動的に係合することを特徴とする請求項１６に記載の接続器。
【請求項１８】
前記接続器キャップのトラックと接続器ベースのトラックが２種の異なる寸法の部分を備え、平坦なリボン・ケーブルは異なるゲージの電気接続線を備え、トラックの異なる部分が異なるゲージの電線を受け入れる寸法にされていることを特徴とする請求項１７に記載の接続器。
【請求項１９】
前記接続器ベースと第１及び第２の接続器キャップが非導電性材料で形成されていることを特徴とする請求項１８に記載の接続器。
【請求項２０】
前記接続器キャップ及び接続器ベースが、各々、単一方向で接続器ベースにキャップを組み合わせるための手段を有することを特徴とする請求項１９に記載の接続器。
【請求項２１】
接続器キャップ及び接続器ベースが、各々、単一方向で接続器ベースにキャップを組み合わせるための手段を有することを特徴とする請求項１２に記載の接続器。
【請求項２２】
第１のバスを受け入れるための第１の接受部分と第１の接触子並びに第２のバスを受け入れるための第２の接受部分と第２の接触子を備え、第１の接触子を第２の接触子に作動可能に且つ電気的に相互接続する電気結線を有する非導電性のハウジングと、
第１の電気結線が外部電気接触から絶縁されるように第１の接受部分に適合し且つ作動可能に係合して第１の接触子と第１のバスとの間に第１の電気結線を形成する第１のカバー部分と、
第２の電気結線が外部電気接触から絶縁されるように第２の接受部分に適合し且つ作動可能に係合して第２の接触子と第２のバスとの間に第２の電気結線を形成する第２のカバー部分とより成り、
前記ハウジングは、更に、第１の電気結線と作動可能接続状態にある少なくとも１つの電気試験ポイントを備え、該電気試験ポイントは外部装置が少なくとも各結線の一電気状態を監視するのを可能とする外部接触面を有することを特徴とする、
各バスが少なくとも第１及び第２のコンジットを有する第１及び第２の通信バスを接続する電気接続器。
【請求項２３】
前記第１のカバー部分上に位置合わせガイドを有し且つ前記第１及び第２の電気結線の面に隣接して符合する位置合わせガイドを有することを特徴とする請求項２２に記載の電気接続器。
【請求項２４】
前記カバー部分が摺動を防ぐ形状を有することを特徴とする請求項２３に記載の電気接続器。
【請求項２５】
前記カバー部分が、単一方向でカバー部分をハウジングに組み合わせる手段を有することを特徴とする請求項２３に記載の電気接続器。
【請求項２６】
前記少なくとも１つの電気試験ポイントが、各々が第１及び第２のバス内の各第１、第２、第３及び第４の電線に対する各電気接触面を有する第１、第２、第３及び第４の電気試験ポイントを備えることを特徴とする請求項２２に記載の電気接続器。
【発明の詳細な説明】
【０００１】
（発明の背景）
この発明は、バス接続器ベースに固着される一対のバス接続器キャップを備え、各キャップがバス・ケーブルを接続器ベースに対して作動可能接続状態に固着するバス接続器を目指している。この出願の目的と関連して、用語「バス」、「ケーブル」及び「バス・ケーブル」は、文脈から他の意味が明白でない限り、物理的な通信手段とこの通信手段を介する伝導の両者を含むことを意図している。通信バス又は他の同様なバス・ケーブルへの電気的構成要素の接続に際しては、実際の接続が完成する前に、バスの接続器を相互に位置調整するのが望ましい。バスと接続器とが相互に摺動可能に設計されていれば、接続器の固定前に、電気的構成要素と接続器のバスに対する位置を変更することができる。
また、バスの１つが何らかの理由で反転した場合に起こる逆向きの線への接続の防止策として、接続器によって接続される一対のバスの符合した線同士が接続するように、接続器は一方向のみにて組み立て可能なのが望ましい。
従来の接続器は密封された絶縁ハウジング内に収納されていたために個別の接続器を基準としての試験が不可能であり、課題となっていた。
（発明の要約）
従来の電気接続器での課題を解決することが、この発明の目的、特徴及び利点である。
【０００２】
電気接続器の各々に電気試験ポイントを備えたバス接続器を提供することが、この発明の目的、特徴及び利点である。
【０００３】
通信バスに対する摺動不能な関係に配置可能なキャップを有するバス接続器を提供することが、この発明の目的、特徴及び利点である。
【０００４】
通信バスを平坦なリボン・ケーブルとすることが、この発明の追加的な目的、特徴及び利点である。
【０００５】
組立て工がバス接続器に対して一対のバスを適正に相互接続するのを助ける位置合わせガイドを提供することが、この発明の目的、特徴及び利点である。
【０００６】
一方向においてのみ組立て可能な、突出部、孔及びこれらの同等手段を提供することが、この発明の目的、特徴及び利点である。
【０００７】
この発明は、電気的構成要素を電気的に接続するシステムを提供する。このシステムは、リボン・ケーブルと接続器キャップと接続器ベースとより成る。リボン・ケーブルは、第１の寸法の導線と第２の寸法の導線と該第１及び第２の寸法の導線周囲のウェブ部分（ｗｅｂ）とを有する。接続器キャップは、リボン・ケーブルに作動可能に係合するに適したトラック面とキャップ位置合わせカイドとキャップ方向合わせカイドを備えている。接続器ベースは、リボン・ケーブルとの電気的係合に適した第１のリボン・ケーブル接受面（ｒｅｃｅｐｔａｃｌｅ  ａｒｅａ）と、第２のリボン・ケーブルとの電気的係合に適した第２の接受面と、該第１及び第２の接受面を電気的に相互接続する電気相互接続手段と、キャップ位置合わせガイドに対する整合のために第１及び第２の接受面に隣接して配置された第１及び第２のベース位置合わせガイドと、キャップ方向合わせガイドを受け入れるように作動可能に配置された方向合わせ受け部（ｒｅｃｅｐｔａｃｌｅ）とを有する。
【０００８】
この発明は、また、第１及び第２の通信バスを作動可能に接続するための接続器を提供する。接続器は、接続器ベースと接続器キャップとより成る。接続器ベースは第１及び第２の事実上同一なキャップ係合面を備える。各キャップ係合面は、第１又は第２の通信バスを受け入れるに適したトラック（ｔｒａｃｋ）及び通信バスの部分との電気的な係合に適した各トラックごとの接触子を備えている。キャップ係合面内の各接触子は、他方のキャップ係合面内の符合する接触子との電気接続状態にあり電気的に接続した接触子の対が形成される。第１のバス接続器キャップは、第１又は第２の通信バスを受け入れて保持する寸法にされたトラックを備える。接続器ベースは、電気的に接続された接触子の各対と関連した外部孔を備え、これが外部の電気接続口ポイントを提供する。
【０００９】
この発明は、更に、各バスが少なくとも第１及び第２のコンジット（ｃｏｎｄｕｉｔｓ）を有する第１及び第２の通信バスを接続するための電気接続器を提供する。接続器は、非導電性のハウジングと第１及び第２のカバー部分とより成る。非導電性のハウジングは、第１のバスを受け入れるための第１の接受部分と第１の接触子、並びに、第２のバスを受け入れるための第２の接受部分と第２の接触子を備えている。ハウジングは、更に、第１の接触子を第２の接触子に作動可能に且つ電気的に相互接続する電気結線を備えている。第１のカバー部分は、第１の接受部分に適合しこれに作動可能に係合しており、第１の電気結線が外部電気接触から絶縁されるように、第１の接触子と第１のバスとの間に第１の電気結線を形成する。第２のカバー部分は、第２の接受部分に適合しこれに作動可能に係合しており、第２の電気結線が外部電気接触から絶縁されるように、第２の接触子と第２のバスとの間に第２の電気結線を形成する。ハウジングは、更に、第１の電気結線と作動可能接続状態にある少なくとも１個の電気試験ポイントを備えるが、ここで、該電気試験ポイントは、外部装置が各結線の少なくとも一電気状態を監視するのを可能とする外部接触面を有する。
（発明の詳細な説明）
全ての図面の図解を参照するに、この発明は、バス接続器ベース１４との作動可能接続状態にバス１６を各キャップ１２が固着するようにバス接続器ベース１４に固着された一対のバス接続器キャップ１２を有するバス接続器１０を目指している。
【００１０】
ここで図１−４を特に参照するに、各キャップは、バス位置合わせガイド１８を有し、これは、好ましくは色彩で識別され、組立て工がバス接続器キャップ１２に対してバス１６を適正に位置合わせすることを可能とする。バス接続器キャップ１２は、好ましくは、型で成形されたトラック（ｔｒａｃｋ）２０を有し、バス接続器キャップ１２の長さはガイド１８の方向に平行で、適合するバス１６を受け入れて保持する寸法とされている。好ましくは、トラックは、キャップ１２上のトラック２０を覆うシーラント２２をバス１６に対して予め形成された形状にて有し、バス接続器１０が完全に組立てられた状態のときバス１６周囲に比較的不透過性のシールを提供する。
【００１１】
バス接続器キャップ１２は、また、第１端部２８からの一対の保持腕２６と第２端部３２上の第２の一対の保持腕３０を備えている。ガイド１８はバス接続器キャップ１２の上面３４上にあるが、トラック２０はバス接続器キャップ１２の底面３６上にある。バス接続器キャップ１２は、ガイド１８に最も接近してガイド面４０を有しており、ガイド１８から最も離れてオフ面４２を有しており、ガイド面４０とオフ面４２の両者はガイド１８に対して平行である。ガイド面４０は位置合わせ突出部４６を有し、オフ面４２は位置合わせ突出部４８を有する。バス接続器ベース１４へのバス接続器キャップ１２の取付けは特異な１つの配置のみにて可能であるが、このことを確保するため位置合わせ突出部４６と位置合わせ突出部４８は特異な形状を有している。好実施例においては、位置合わせ突出部４６は半円形状を有し、位置合わせ突出部４８は矩形形状を有している。
【００１２】
ここで、図５及び６を参照するに、各ベース１４は、好ましくは、第１のキャップ係合面６０と第２のキャップ係合面６２を有し、この第１及び第２のキャップ係合面６０及び６２は事実上同一である。各キャップ係合面６０及び６２は、バス接続器１６を受け入れるに適した型で成形されたトラック６４を有し、好ましくは、バス１６に予め形成された形状のシーラント６６で覆ってバス接続器１６周囲を耐気候的様式で密封する。各トラック６４は、一以上の刃７２を有する接触子７０を備え、該刃７２はバス接続器１６内の特定の電気接続線８０への係合に適しており、絶縁被覆に切り込んで接触子と導電芯線８０の間に電気結線を形成する。好実施例においては、バス接続器１６は、プラスチック・リボン９０によって平坦な関係に保持されプラスチック・リボン・ケーブル９２を形成する４本の電気接続器線８２、８４、８６及び８８を有する。
【００１３】
各キャップ係合面６０及び６２は、線８８との係合に適した接触子９４と、線８６との係合に適した接触子９６と、線８４との係合に適した接触子９８と、線８２との係合に適した接触子１００を有する。ベース１４それ自体によって絶縁された範囲において、キャップ係合面６０の接触子１００はキャップ係合面６２の接触子１００に電気的に結線されている。同様に、キャップ係合面６０の接触子９８、９６及び９４は、それぞれ、ベース１４内においてキャップ係合面６２の接触子９８、９６及び９４に電気的に接続されている。
【００１４】
キャップ係合面６０及び６２は、ベース１４の上面１１０上に配置される。ベース１４の底面１１２は、孔１１４、１１６、１１８及び１２０を有する。孔１１６は、両接触子９４を接続する電気結線１２２への電気接続口ポイントを提供する。孔１１４は、両接触子９６を接続する電気コネクタへの接続口を提供する。孔１２０は、両接触子９８を接続する電気コネクタ１２６への接続口を提供し、孔１１８は、両接触子１００への接触を提供する電気コネクタ１２８への接続口を提供する。孔１１４と１１６は概略キャップ係合面６０と関連しており、孔１１８と１２０は概略キャップ係合面６２と関連しており、線８２、８４と線８６、８８の間に最大の全表面間隔を提供し、これにより腐食の伝播を最小限に抑える。各孔１１４、１１６、１１８及び１２０は、基本的に電気試験ポイント１３０として機能し、バス１６自体の各線８２、８４、８６及び８８の試験ポイント３０を介する電気信号の試験及び読み取りによって、バス接続器１０の有効性が試験されるのを可能とする。
【００１５】
ベース１４は、接触子９４を保持するトラック６４と整合されるキャップ位置合わせガイド１４０を有する。第１面１４２及び第２面１４４の両者とも好ましくはガイド１４０を有する。
【００１６】
ベース１４は、バス接続器キャップ１２上の嵌合へこみ１５２に係合するための突起１５０を有する。ベース１４は、また、各キャップ係合面６０及び６２に突出部４６を受け入れるに適した受け部１６０を有する。同様に、ベース１４は、突出部４８を受け入れるに適した第２の受け部１６２を有する。
【００１７】
バス接続器１０を組み立てるには、トラック２０内に電線８０を入れた状態でバス１６にバス接続器キャップ１２を整合して載置する。好実施例では、電線９４、９６は電線９８、１００とは異なるゲージであり、バス１６とバス接続器キャップ１２の単一位置での整合の確保を助けるため２種の大きさ寸法のトラック１７０及び１７２を有する。付加的には、ガイド１８は、電線８８とガイド１８の色彩識別の利用により電線８８に対して整合される。保持腕３０とシーラント２２が平坦なリボン・ケーブル９２に干渉する様式で係合し、ケーブル１６に対するバス接続器キャップ１２の摺動を摩擦的手法で防止する。
【００１８】
図８に示すように、バス１６とバス接続器キャップ１２は所望のキャップ係合面６０、６２の上に移動され、突出部４６が保持面１６０に整合させられ、突出部４８はリジェクション面４８に整合させられ、バス保持キャップ１２は押圧されてキャップ係合面６２と係合し、突起１５０は受け部１５２を保持し作動可能に係合する。同様の工程が第２の接続器キャップ１２と第２のバス１６において繰り返される。この完成したバス接続器１０が図９、１０及び１１に示されている。ガイド１８、各バス接続器キャップ１２の電線８８とガイド１４０、バス１６、及びバス接続器ベース１４を整合することによって適正な組立てが保証される。
【００１９】
好実施例では、電線８８は電力を供給し、電線８６は接地又は共通線として機能して電源回路の一部であり、電線８４と８２は通常の２線ＲＳ−４８５通信プロトコールを提供する。
【００２０】
図解したものは、一対の接続器キャップと一つの接続器ベースを利用して２個のリボン・ケーブル・バスを作動可能に且つ電気的に接続するためのバス接続器である。多くの変更及び修正が可能なことは当業者には明白であろう。バスそれ自体の特性は、リボン・バス内の電気接続線数の増減、リボン・バスから他の形式の電気接続バスへの変更、又はその他の従来型修正を含む、従来型手段の多様性に応じて変更することが可能である。付加的には、位置合わせガイド及び方向合わせガイドは他の形状及び配置に修正可能である。さらに、電気試験ポイントは、好実施例では、各接続器キャップに係る試験ポイントの半数を含んで示されている。試験ポイントの全てをいずれかのキャップに直接的関係にて又は各キャップに各種の配分にて形成できることを当業者は認めるであろう。そのような修正及び変更の全ては特許請求されたこの発明の思想及び範囲に属すると考えられる。
【００２１】
特許を所望する事項は添付の請求の範囲に記載される。
【図面の簡単な説明】
【図１】
この発明によるバス接続器キャップの透視図である。
【図２】
図１の接続器キャップの背面図である。
【図３】
図１の接続器キャップの３−３線に沿ったガイド側面図である。
【図４】
図１の接続器キャップの４―４線に沿った図である。
【図５】
第１の上方向からのこの発明の接続器ベースの透視図である。
【図６】
図５の接続器ベースの第２の下方向からの透視図である。
【図７】
リボン・バスに対して線が摺動可能な図１の接続器キャップの図である。
【図８】
接続器ベースに対する組立て前の図７のキャップ及びベースを示す。
【図９】
一対の接続器キャップが一対のリボン・バスを接続器ベースに対して固着して透視するこの発明のバス接続器の図である。
【図１０】
１０―１０線に沿った図９の組み立てられた接続器を示す。
【図１１】
１１―１１線に沿った図９の組み立てられた接続器を示す。
【図１】
2004516627.tif 000003
【図２】
2004516627.tif 000004
【図３】
2004516627.tif 000005
【図４】
2004516627.tif 000006
【図５】
2004516627.tif 000007
【図６】
2004516627.tif 000008
【図７】
2004516627.tif 000009
【図８】
2004516627.tif 000010
【図９】
2004516627.tif 000011
【図１０】
2004516627.tif 000012
【図１１】
2004516627.tif 000013
【国際公開パンフレット】
2004516627.tif 000014
2004516627.tif 000015
2004516627.tif 000016
2004516627.tif 000017
2004516627.tif 000018
2004516627.tif 000019
2004516627.tif 000020
2004516627.tif 000021
2004516627.tif 000022
2004516627.tif 000023
2004516627.tif 000024
2004516627.tif 000025
2004516627.tif 000026
2004516627.tif 000027
2004516627.tif 000028
2004516627.tif 000029
2004516627.tif 000030
2004516627.tif 000031
2004516627.tif 000032
2004516627.tif 000033
2004516627.tif 000034
2004516627.tif 000035
2004516627.tif 000036
2004516627.tif 000037
【国際調査報告】
2004516627.tif 000038
2004516627.tif 000039
2004516627.tif 000040